(57)【要約】【課題】  カウンターの昇降用開口から収納空間内に塵埃や水等の異物が侵入しにくくなるようにした昇降式収納装置を提供する。【解決手段】  キッチン用フロアキャビネット１のカウンター１ａの一部に形成した昇降用開口５内に配置される収納棚２と、この収納棚２をカウンター下の収納空間１４に下降させるとともに、カウンター上に上昇させる昇降機構６とを備えた昇降式収納装置において、フロアキャビネット１のカウンター１ａに、昇降用開口５を覆うカバー枠８を設けることにより、昇降用開口５から収納空間１４内に塵埃や水等の異物が侵入しにくくなるとともに、昇降用開口５が覆われるので、見栄えも向上するようになる。【選択図】  図２
2006247032.tif 000002
【特許請求の範囲】
【請求項１】
キッチン用フロアキャビネットのカウンターの一部に形成した昇降用開口内に配置される収納棚と、この収納棚をカウンター下の収納空間に下降させるとともに、カウンター上に上昇させる昇降機構とを備えた昇降式収納装置において、
前記フロアキャビネットのカウンターに、前記昇降用開口を覆うカバー枠を設けたことを特徴とする昇降式収納装置。
【請求項２】
前記カウンター上面に凸条のバックガードを設けるとともに、前記カバー枠で前記バックガードを覆うようにしたことを特徴とする請求項１に記載の昇降式収納装置。
【請求項３】
前記カバー枠に形成した立上がり部の内面に植毛部を設けたことを特徴とする請求項１または２に記載の昇降式収納装置。
【請求項４】
前記カバー枠は、複数個の枠片に分割して、各枠片の連結隙間にパッキンを設けたことを特徴とする請求項１〜３のいずれか一項に記載の昇降式収納装置。
【請求項５】
前記カバー枠を導電材で構成して、各枠片の連結部分を導電金具で連結することを特徴とする請求項４に記載の昇降式収納装置。
【請求項６】
前記カウンター上面に係止具を設けるとともに、前記カバー枠の下面に、前記カウンターの係止具に係止可能な被係止部を一体形成していることを特徴とする請求項１〜６のいずれか一項に記載の昇降式収納装置。
【発明の詳細な説明】
【技術分野】
【０００１】
本発明は、キッチン用フロアキャビネットに設けられる昇降式収納装置に関する。
【背景技術】
【０００２】
一般に、キッチン用フロアキャビネットは、カウンター下に収納部を設けているから、収納物（皿、鍋、調味料等）を出し入れするには、調理作業等を一旦中断して屈んだ状態で収納部から収納物を出し入れする必要があった。
【０００３】
このため、フロアキャビネット上方の天袋に収納部を設けて、収納物を出し入れする際に、収納部を引き下ろせるようにしたものがある（特許文献１、２参照）。
【０００４】
しかしながら、特許文献１、２のような昇降式収納装置は、収納部を引き下ろした時でも、収納部の上段に収納物を出し入れしにくいという問題があった。
【０００５】
また、キッチンとダイニングとの間に壁面が無いオープン型の対面キッチンにおいては、設置すべき壁面が無いので、昇降式収納装置を設置しづらいという問題があった。
【０００６】
そこで、本出願人は、オープン型の対面キッチンに好適で、収納物を出し入れしやすくするために、キッチン用フロアキャビネットのカウンターの一部に形成した昇降用開口内に配置される収納棚（水切り棚）と、この収納棚をカウンター下の収納空間に下降させるとともに、カウンター上に上昇させる昇降機構とを備えた昇降式収納装置を提案した。
【特許文献１】特開２０００−３１６６４３号公報
【特許文献２】特開２００１−１４９２９７号公報
【発明の開示】
【発明が解決しようとする課題】
【０００７】
本出願人の提案に係る昇降式収納装置において、カウンターの昇降用開口から収納空間内に塵埃や水等の異物を侵入しにくくしたいという要望があった。
【０００８】
本発明は、前記要望に応えるためになされたもので、カウンターの昇降用開口から収納空間内に塵埃や水等の異物が侵入しにくくなるようにした昇降式収納装置を提供することを目的とするものである。
【課題を解決するための手段】
【０００９】
前記課題を解決するために、本発明は、キッチン用フロアキャビネットのカウンターの一部に形成した昇降用開口内に配置される収納棚と、この収納棚をカウンター下の収納空間に下降させるとともに、カウンター上に上昇させる昇降機構とを備えた昇降式収納装置において、前記フロアキャビネットのカウンターに、前記昇降用開口を覆うカバー枠を設けたことを特徴とする昇降式収納装置を提供するものである。
【００１０】
水が収納空間内に侵入しないようにするために、前記カウンター上面に凸条のバックガードを設けるとともに、前記カバー枠で前記バックガードを覆うようにした構成とすることが好ましい。
【００１１】
塵埃や水等の異物が収納空間内に侵入しないようにするために、前記カバー枠に形成した立上がり部の内面に植毛部を設けた構成とすることができる。
【００１２】
水が収納空間内に侵入しないようにするために、前記カバー枠は、複数個の枠片に分割して、各枠片の連結隙間にパッキンを設けた構成とすることが好ましい。
【００１３】
カバー枠を異物の挟み込みを検出する静電検出センサーとして利用するために、前記カバー枠を導電材で構成して、各枠片の連結部分を導電金具で連結する構成とすることが好ましい。
【００１４】
カバー枠をワンタッチでカウンターに係止するために、前記カウンター上面に係止具を設けるとともに、前記カバー枠の下面に、前記カウンターの係止具に係止可能な被係止部を一体形成している構成とすることが好ましい。
【発明の効果】
【００１５】
本発明によれば、フロアキャビネットのカウンターに昇降用開口を覆うカバー枠を設けたから、昇降用開口から収納空間内に塵埃や水等の異物が侵入しにくくなるとともに、昇降用開口が覆われるので、見栄えも向上するようになる。
【発明を実施するための最良の形態】
【００１６】
以下、本発明を実施するための最良の形態について、図面を参照しながら詳細に説明する。
【００１７】
図１および図２はキッチン用フロアキャビネット１であって、図１は収納棚（水切り棚）２が下降位置（不使用時）Ｄの斜視図、図２は収納棚２が上昇位置（使用時）Ｕの斜視図である。前記フロアキャビネット１は、キッチンとダイニング・リビングとの間に壁面が無いオープン型の対面キッチンを想定しているが、オープン型の対面キッチンでなくても可能である。
【００１８】
前記フロアキャビネット１のカウンターの右側位置にシンク３が設けられ、このシンク３の後方位置に収納棚２が配置されている。なお、シンク３の側方位置に収納棚２を配置することもできる。ここで、左右や前後の方向の表現は、キッチン側でシンク３の前に立ってダイニング・リビング側を向いた者が見た状態としている。
【００１９】
前記収納棚２は、フロアキャビネット１のカウンター１ａに形成された昇降用開口５（図４参照）内に配置されて、この収納棚２は、後述する昇降機構６によって、カウンター下の収納空間１４（図４参照）に下降させる下降位置Ｄと、カウンター上に上昇させる上昇位置Ｕとに昇降されるようになる。図２のように、前記昇降用開口５は、横長四角枠状のカバー枠８で覆われている。
【００２０】
前記収納棚２には、上下２段で食器類の水切り部２ａ，２ｂが設けられている。
【００２１】
前記収納棚２の天板カウンター４は、図１のように、下降位置Ｄでは、カバー枠８とともに昇降用開口５を覆ってフロアキャビネット１のカウンター面と僅かの隙間を隔てて対向し、カウンターの一部を構成することになるから、この天板カウンター４の上をカウンタースペース（作業スペース）として利用することができる。
【００２２】
この天板カウンター４の右側前面位置には、収納棚２を昇降操作するためのスイッチパネル７が取付けられ、このスイッチパネル７には、図３に詳細に示すように、上昇スイッチ７ａ、停止スイッチ７ｂ、下降スイッチ７ｃが設けられるとともに、点滅ランプやスピーカー等でなるトラップ給水報知・警報部７ｄ、異物挟み込み報知・警報部７ｅ、過積載報知・警報部７ｆが設けられている。
【００２３】
図７（ａ）は天板カウンター４を省略した収納棚２の斜視図である。前記収納棚２は、横長長方形状の上部フレーム２Ａと下部フレーム２Ｂと、縦長長方形状の左側部フレーム２Ｃと右側部フレーム２Ｄとで横長四角枠状に溶接等で一体的に組み立てられていて、下部フレーム２Ｂの下部に水受けトレー１０（図５参照）を取付けている。
【００２４】
前記上部フレーム２Ａと下部フレーム２Ｂと左側部フレーム２Ｃと右側部フレーム２Ｄとの裏面（ダイニング・リビング側）には化粧板１１が取付けられて覆われるとともに、左側部フレーム２Ｃと右側部フレーム２Ｄ、および上部フレーム２Ａには、化粧板１２ａ〜１２ｃがそれぞれ取付けられている。なお、化粧板１１が透光性であると、ダイニング・リビング側の光で収納棚２内を明るくすることができる。
【００２５】
図４〜図６に示すように、前記昇降用開口５に対応するフロアキャビネット１の内部には、下降位置Ｄの収納棚２を収納する収納空間１４が設けられ、この収納空間１４は、左右の側板１４Ａ，１４Ｂと底板１４Ｃとで上面が開口した略Ｕ字状に形成されている。そして、左右の側板１４Ａ，１４Ｂと底板１４Ｃとのシンク３側の面は背板１４Ｄで閉じられているとともに、ダイニング側の面は点検用扉１４Ｅで開閉可能に閉じられている。
【００２６】
前記収納空間１４内には、収納棚２の昇降機構６等が収納されている。すなわち、前記収納空間１４の左右の側板１４Ａ，１４Ｂの内面には、上下方向に延在して、奥行き方向に一対のガイドレール１５がそれぞれ固定され、この一対のガイドレール１５の間に位置する左右の側板１４Ａ，１４Ｂの内面には、ガイドレール１５の上端部と下端部とに対応して、上プーリ１６Ａと下プーリ１６Ｂとがそれぞれ固定されている。
【００２７】
前記収納棚２の左側部フレーム２Ｃと右側部フレーム２Ｄとの下部には、図７（ｂ）に示すように、Ｈ字状のブラケット１７がそれぞれ固定され、各ブラケット１７には、前記対応するガイドレール１５に上下摺動可能に嵌り込む合成樹脂製のシュー１８がそれぞれ取付けられている。
【００２８】
そして、前記ブラケット１７のシュー１８がガイドレール１５で上下摺動するようにガイドされることにより、収納棚２がカウンター下の下降位置Ｄと、カウンター上の上昇位置Ｕとに昇降動されるようになる。
【００２９】
前記収納空間１４の底板１４Ｃの左右方向のほぼ中央位置には、電動モータ２０と、この電動モータ２０でチェーン２１ａを介して駆動される２個のドラム２１Ａ，２１Ｂとが設置されて、一方のドラム２１Ａには、左側のベルト２２Ａが下方から巻き付けられて内端部が係止されるとともに、他方のドラム２１Ｂには、右側のベルト２２Ｂが上方から巻き付けられて内端部が係止されている。
【００３０】
前記左側のベルト２２Ａは、左の側板１４Ａの下プーリ１６Ｂと上プーリ１６Ａとに順に掛け回されて、その外端部が前記収納棚２の左側部フレーム２Ｃのブラケット１７に係止されるとともに、前記右側のベルト２２Ｂは、右の側板１４Ｂの下プーリ１６Ｂと上プーリ１６Ａとに順に掛け回されて、その外端部が前記収納棚２の右側部フレーム２Ｄのブラケット１７に係止されるようになる。
【００３１】
したがって、前記スイッチパネル７の上昇スイッチ７ａをプッシュ操作することで、電動モータ２０が正転すると、各ドラム２１Ａ，２１Ｂが図５において矢印ａ回りに駆動されて、左右のベルト２２Ａ，２２Ｂが各ドラム２１Ａ，２１Ｂに巻き取られることで、収納棚２の左右のブラケット１７が左右のベルト２２Ａ，２２Ｂで引っ張り上げられながらガイドレール１５でガイドされて上昇することにより、収納棚２がカウンター上の上昇位置Ｕに上昇されるようになる。前記収納棚２が上昇位置Ｕまで上昇されると、電動モータ２０が停止して、逆転しないようにブレーキが掛けられるとともに、上昇スイッチ７ａをさらにプッシュ操作しても電動モータ２０が正転されないように制御される。
【００３２】
前記スイッチパネル７の下降スイッチ７ｃをプッシュ操作することで、電動モータ２０のブレーキが解除されて、収納棚２の左右のブラケット１７がガイドレール１５でガイドされて、収納棚２が自重で下降することにより、収納棚２がカウンター下の下降位置Ｄに下降されるようになる。なお、図５において、１７´は、下降位置Ｄのブラケットを示している。
【００３３】
この場合、電動モータ２０を逆転させながら左右のベルト２２Ａ，２２Ｂを各ドラム２１Ａ，２１Ｂに巻き戻すようになるが、この電動モータ２０の逆転は、収納棚２が自重で急激に下降しないようにブレーキを掛けるように設定されている。なお、下降スイッチ７ｃをプッシュ操作すると、収納棚２がカウンター下の下降位置Ｄに自動下降されるが、下降位置Ｄの手前（例えば５０ｍｍ程度）までは、自動下降するが、それ以上の下降は、下降スイッチ７ｃをプッシュ操作し続けなければ下降しないようにすれば（いわゆる２段押し）、安全性を高めることができる。
【００３４】
また、前記スイッチパネル７の停止スイッチ７ｂをプッシュ操作すると、電動モータ２０が停止して、収納棚２を上昇途中位置または下降途中位置でストップさせることができる。
【００３５】
前記収納空間１４の底板１４Ｃの上には、制御ボックス３２（図４参照）が取付けられ、この制御ボックス３２の制御回路に、前記電動モータ２０、各スイッチ７ａ〜７ｃ、各報知・警報部７ｄ〜７ｆ等が接続されている。
【００３６】
一方、前記収納棚２の水受けトレー１０の底部は、中央部が下向きに窪むように形成されて、この底部の中央部には排水口１０ａが設けられている。この排水口１０ａにフレキシブルな排水パイプ２５の一端２５ａが連結されるとともに、この排水パイプ２５の他端２５ｂは、前記収納空間１４の背板１４Ｄの内壁面に取付けた水受けマス２６の上部位置に連結されている。
【００３７】
前記水受けマス２６は、上部が開口した四角箱状であり、この水受けマス２６の下部にはＵ字状の排水トラップ２７の入口端が連結されるとともに、この排水トラップ２７の出口端には排水管２８が連結されている。この排水管２８は、前記収納空間１４の底板１４Ｃの開口１４ａから下水配管等（図示せず。）に連結されている。
【００３８】
さらに、前記収納空間１４の背板１４Ｄの内壁面に取付けた水受けマス２６とほぼ同じ高さ位置に、傾斜させた水受け樋３０が背板１４Ｄの内壁面に水密状態で取付けられて、この水受け樋３０の傾斜下側は、水受けマス２６の上部位置に連結されている。この水受け樋３０は、前記昇降用開口５の前側のほぼ真下に位置させている。
【００３９】
図８に示すように、前記収納棚２の上部フレーム２Ａの化粧板１２ｃの下面、つまり収納棚２の天井側に換気ファン３５が取付けられ、この換気ファン３５には、一定湿度以上の時に換気ファン３５を駆動制御するために、湿度を検出する湿度センサー３４が取付けられている。
【００４０】
図９に示すように、前記カウンター１ａの昇降用開口５を覆う横長四角枠状のカバー枠８は、側面視でＬ字状に形成されて、内面側に立上がり部８ａを有している。このカバー枠８は、図１４に分解した下面（裏面）側を示すように、左右方向に延在する長い前枠片８ｂと後枠片８ｃおよび前後方向に延在する短い左枠片８ｄと右枠片８ｅとに分割されて、各枠片８ｂ〜８ｅの端部は４５度のカット縁となっている。
【００４１】
そして、各枠片８ｂ〜８ｅの端部のスリット部分にＬ字状の導電金具４５をそれぞれ差し込んで、対向するカット縁の間に僅かの連結隙間Ｔ（図１３参照）を隔てた仮り組み状態で、皿ねじ４６で各枠片８ｂ〜８ｅに各導電金具４５をねじ固定することにより、図１３のように、各枠片８ｂ〜８ｅが横長四角枠状のカバー枠８として本組みされるようになる。前記カバー枠８の各枠片８ｂ〜８ｅのカット縁の間に僅かの連結隙間Ｔを隔てたのは、製造誤差や組み付け誤差を吸収するためである。
【００４２】
なお、前記カバー枠８は、通常、導電材であるアルミニウム合金製であるが、表面をアルマイト処理しているために導電性が低下している。そこで、各枠片８ｂ〜８ｅに皿ねじ４６のための皿繰り加工をすることでアルマイト処理を剥がし、そこに皿ねじ４６を入れて各導電金具４５をねじ固定することで、各導電金具４５によってカバー枠８全体が電気的に接続されるようになる。この電気的に接続する理由は後で説明する。
【００４３】
図１２にカバー枠８の上面側を示すように、前記カバー枠８の各枠片８ｂ〜８ｅのカット縁の間の連結隙間Ｔには、合成樹脂製のパッキン４７を表面側から嵌め込んで覆っている。
【００４４】
図９〜図１１に示すように、前記カウンター１ａの昇降用開口５に近い上面の四周囲には、適当な間隔を隔てて合成樹脂製の複数個の係止具４８固定している。この係止具４８は、断面がＵ字状であり、立ち上がり端には外向きのフックが形成されている。
【００４５】
前記カバー枠８の下面には、前記係止具４８のフックで係止可能な内向きのフック溝を形成した被係止部８ｆが一体形成されている。
【００４６】
これにより、図９のように、前記カウンター１ａの昇降用開口５に近い上面の四周囲にカバー枠８を当てがって、上方から力をかけると、カウンター１ａの上面の係止具４８がカバー枠８の下面の被係止部８ｆで内向きに撓まされながら、係止具４８のフックが被係止部８ｆのフック溝に係止されるので、カバー枠８をカウンター１の上面に係止固定することができる。なお、カウンター側に被係止具を設け、カバー枠側に係止部を一体形成することもできる。
【００４７】
前記カウンター１ａの前記係止具４８よりも外側の上面の前側、左右側の三周囲（後側は無くても可。）には、凸条のバックガード４９を設けている。このバックガード４９は、前記カバー枠８をカウンター１の上面に係止固定したときに、カバー枠８で覆われるようになる。
【００４８】
前記カバー枠８の立上がり部８ａの内面の後側、左右側の三周囲（前側は無くても可。）には植毛部（モヘア）５０を設けている。この植毛部５０の先端は、前記収納棚２の各フレーム２Ａ〜２Ｄの裏面の化粧板１１および左右面の化粧板１２ａ，１２ｂに僅かに接触するようになる。
【００４９】
前記のようなフロアキャビネット１であれば、フロアキャビネット１のカウンターに形成した昇降用開口５内に設置した収納棚２を、不使用時にはカウンター下の収納空間１４に下降させるとともに、使用時にはカウンター上に上昇させるようにしたから、キッチンとダイニングとの間に壁面が無いオープン型の対面キッチンに好適であって、収納棚２をカウンター上に上昇させれば、屈まずに収納棚２から収納物を出し入れできるようになる。
【００５０】
また、収納棚２は、カウンター上に上昇させるだけであるから、収納棚２のいずれの段にある食器等の収納物でも出し入れしやすくなるとともに、収納棚２をカウンター下の収納空間１４に下降させれば、カウンター上面を広く使えるようになるとともに、カウンター上での別の作業の邪魔にならなくなる。
【００５１】
一方、フロアキャビネット１のカウンター１ａに昇降用開口５を覆うカバー枠８を設けたから、昇降用開口５から収納空間１４内に塵埃や水等の異物が侵入しにくくなるとともに、昇降用開口５が覆われるので、見栄えも向上するようになる。
【００５２】
また、カウンター１ａの上面にバックガード４９を設けるとともに、カバー枠８でバックガード４９を覆うようにしたから、見栄えが向上するとともに、カバー枠８をカウンター１ａの上面にコーキングで止水した時に、カウンター１ａの上面にこぼれた水がカバー枠８で堰き止められるとともに、コーキング不良箇所からカバー枠８の下面側に水が侵入しても、バックガード４９で確実に堰き止められる２重止水構造となって、水が昇降用開口５から収納空間１４内に侵入しなくなる。
【００５３】
さらに、カバー枠８の立上がり部８ａの内面に植毛部５０を設けたから、昇降用開口５から収納空間１４内に塵埃や水等の異物がより侵入しにくくなるとともに、昇降用開口５が覆われるので、見栄えもより向上するようになる。
【００５４】
また、カバー枠８は、複数個の枠片８ｂ〜８ｅに分割して、各枠片８ｂ〜８ｅの連結部の隙間Ｔにパッキン４７を設けたから、連結部（コーナーエッジ）の隙間Ｔから水が昇降用開口５側に侵入しなくなる。
【００５５】
さらに、カウンター１ａの上面に係止具４８を設けるとともに、カバー枠８の下面に、カウンター１ａの係止具４８に上方から係止可能な被係止部８ｆを一体形成したから、カバー枠８をワンタッチでカウンター１ａに係止することができる。
【００５６】
また、カバー枠８を導電材で構成して、各枠片８ｂ〜８ｅの連結部を導電金具４５で連結したから、カバー枠８の各枠片８ｂ〜８ｅの連結部の隙間Ｔにパッキン（絶縁材）４７を設けても、導電金具４５によってカバー枠８全体が電気的に接続されるようになるから、カバー枠８を異物の挟み込みを検出する静電検出センサー５１（図１５参照）として利用することができる。
【００５７】
すなわち、前記カバー枠８は、電気的に絶縁された状態でカウンター面１ａに取付けられていて、前記収納空間１４の制御ボックス３２の制御回路に、カバー枠８である静電検出センサー５１がリード線等で接続されている。
【００５８】
前記制御ボックス３２の制御回路には図１５（ａ）に示すように、カバー枠８である静電検出センサー５１と対地の間の静電容量Ｃ１が予め記憶されていて、カバー枠８である静電検出センサー５１に静電容量を持つ異物（例えば人体）が触れると、人体と対地の間の静電容量Ｃ２の分が増加するので、この静電容量の増加（Ｃ１＋Ｃ２）でカバー枠８に異物が乗っていることを検出するようになる。
【００５９】
そして、収納棚２の下降前に、昇降用開口５の付近に異物があることを静電検出センサー５１で検出すると、図１５（ｂ）のように、その検出信号が制御ボックス３２に送られて、制御ボックス３２の異物検出停止回路から昇降機構６の電動モータ２０に停止信号が送られて、スイッチパネル７の下降スイッチ７ｃをプッシュ操作しても、電動モータ２０が停止したままで、収納棚２が下降しなくなる。
【００６０】
また、収納棚２の下降途中に、昇降用開口５の付近に異物があることを静電検出センサー５１で検出すると、同様にして、電動モータ２０が緊急に停止して、収納棚２の下降が停止されるようになる。
【００６１】
このようにして、収納棚２と昇降用開口５の付近のカウンター面１ａとの間に異物が挟まれることを防止できるようになる。
【図面の簡単な説明】
【００６２】
【図１】本発明の実施形態を示すキッチン用フロアキャビネットであり、収納棚が下降位置の斜視図である。
【図２】本発明の実施形態を示すキッチン用フロアキャビネットであり、収納棚が上昇位置の斜視図である。
【図３】スイッチパネルの正面図である。
【図４】昇降式収納装置をダイニング・リビング側から見た斜視図である。
【図５】（ａ）は昇降式収納装置をダイニング・リビング側から見た正面図である。
【図６】（ａ）は収納棚を省略した昇降式収納装置の平面図、（ｂ）は昇降式収納装置の要部断面側面図である。
【図７】（ａ）は天板カウンターを省略した収納棚の斜視図、（ｂ）はガイドレールとブラケットの斜視図である。
【図８】（ａ）は収納棚を下方から見上げた斜視図、（ｂ）は換気ファン部分の拡大斜視図である。
【図９】（ａ）はキッチン用フロアキャビネットの昇降用開口とカバー枠との関係を示す斜視図、（ｂ）は（ａ）のＥ部拡大図である。
【図１０】収納棚と昇降用開口との関係を示す要部斜視図である。
【図１１】（ａ）は収納棚と昇降用開口との関係を示す側面断面図、（ｂ）は（ａ）のＦ部拡大図、（ｃ）は（ａ）のＧ部拡大図である。
【図１２】（ａ）はカバー枠の上面側斜視図、（ｂ）は（ａ）のＨ部拡大図である。
【図１３】カバー枠の下面側の斜視図である。
【図１４】カバー枠の下面側の分解斜視図である。
【図１５】（ａ）は静電検出センサーの回路図、（ｂ）は異物検出のシステム図である。
【符号の説明】
【００６３】
１    キッチン用フロアキャビネット
１ａ  カウンター
２    収納棚
５    昇降用開口
６      昇降機構
８    カバー枠
８ａ  立上がり部
８ｂ〜８ｅ  枠片
８ｆ  被係止部
１４  収納空間
４５  導電金具
４７  パッキン
４８  係止具
４９  バックガード
５０  植毛部
５１  静電検出センサー
【図１】
2006247032.tif 000003
【図２】
2006247032.tif 000004
【図３】
2006247032.tif 000005
【図４】
2006247032.tif 000006
【図５】
2006247032.tif 000007
【図６】
2006247032.tif 000008
【図７】
2006247032.tif 000009
【図８】
2006247032.tif 000010
【図９】
2006247032.tif 000011
【図１０】
2006247032.tif 000012
【図１１】
2006247032.tif 000013
【図１２】
2006247032.tif 000014
【図１３】
2006247032.tif 000015
【図１４】
2006247032.tif 000016
【図１５】
2006247032.tif 000017